【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
リレー記録により複数の記録媒体に跨って記録されたリレー動画を構成する、第１の記録媒体に記録された第１の動画ファイルと第２の記録媒体に記録された第２の動画ファイルとのうち、前記第１の動画ファイルが記録された前記第１の記録媒体からデータを読み込み可能な読込手段と、
前記第１の記録媒体に記録された複数の画像を表示する一覧画面において、前記第１の動画ファイルを含む該第１の記録媒体に記録された複数の画像と、前記第２の動画ファイルに関する情報とを表示手段に一覧表示するように制御する表示制御手段と
を有することを特徴とする再生装置。
【請求項２】
前記表示制御手段は、前記一覧画面において、前記第２の記録媒体に記録された動画ファイルのうち、前記第１の記録媒体に記録された動画と同じリレー動画を構成する動画ファイル以外に関する情報は表示しないように制御することを特徴とする請求項１に記載の再生装置。
【請求項３】
前記表示制御手段は、前記第２の動画ファイルの代表画像を前記一覧画面に表示するように制御することを特徴とする請求項１または２に記載の再生装置。
【請求項４】
前記表示制御手段は、リレー動画における前記第１の動画ファイルと前記第２の動画ファイルとの順序に従った配置で、前記第２の動画ファイルに関する情報を前記一覧画面に表示するように制御することを特徴とする請求項１乃至３の何れか１項に記載の再生装置。
【請求項５】
前記表示制御手段は、前記第２の記録媒体にアクセスできない場合にも前記一覧画面において前記第２の動画ファイルに関する情報を表示するように制御することを特徴とする請求項１乃至４の何れか１項に記載の再生装置。
【請求項６】
前記表示制御手段は、前記第２の記録媒体にアクセスできない場合には、前記第２の記録媒体にアクセスできない旨の表示情報と共に前記第２の動画ファイルに関する情報を表示するように制御することを特徴とする請求項５に記載の再生装置。
【請求項７】
前記第２の記録媒体とは異なる記録媒体から、リレー動画を構成する複数の動画ファイルに関する情報を取得する取得手段を更に有し、
前記表示制御手段は、前記取得手段で取得した前記情報に基づいて、前記一覧画面において前記第２の動画ファイルに関する情報を表示するように制御することを特徴とする請求項１乃至５の何れか１項に記載の再生装置。
【請求項８】
前記表示制御手段は、前記一覧画面において、前記第２の動画ファイルが前記第２の記録媒体に記録されていることを示す表示情報と共に前記第２の動画ファイルに関する情報を表示するように制御することを特徴とする請求項１乃至７の何れか１項に記載の再生装置。
【請求項９】
記録媒体を装着可能な装着部を複数有することを特徴とする請求項１乃至８の何れか１項に記載の再生装置。
【請求項１０】
記録媒体を装着可能な少なくとも１つの装着部と、内蔵の記録媒体とを有することを特徴とする請求項１乃至９の何れか１項に記載の再生装置。
【請求項１１】
動画を複数の記録媒体に跨って前記リレー記録するように制御する記録制御手段と、
前記リレー記録で記録されたリレー動画を構成する複数の動画ファイルに関する情報を記録する記録手段と
を有することを特徴とする請求項９または１０に記載の再生装置。
【請求項１２】
前記記録手段は、前記リレー動画を構成する複数の動画ファイルに関する情報として、各動画ファイルの代表画像を記録することを特徴とする請求項１１に記載の再生装置。
【請求項１３】
動画を撮影する撮影手段を更に有し、
前記記録制御手段は、前記撮影手段で撮影された動画を記録するように制御することを特徴とする請求項１１または１２に記載の再生装置。
【請求項１４】
リレー記録により複数の記録媒体に跨って記録されたリレー動画を構成する、第１の記録媒体に記録された第１の動画ファイルと第２の記録媒体に記録された第２の動画ファイルとのうち、前記第１の動画ファイルが記録された前記第１の記録媒体からデータを読み込み可能な読込ステップと、
前記第１の記録媒体に記録された複数の画像を表示する一覧画面において、前記第１の動画ファイルを含む該第１の記録媒体に記録された複数の動画と、前記第２の動画ファイルに関する情報とを表示手段に一覧表示するように制御する表示制御ステップと
を有することを特徴とする再生装置の制御方法。
【請求項１５】
コンピュータを、請求項１乃至１３の何れか１項に記載された再生装置の各手段として機能させるためのプログラム。
【請求項１６】
コンピュータを、請求項１乃至１３の何れか１項に記載された再生装置の各手段として機能させるためのプログラムを格納したコンピュータが読み取り可能な記憶媒体。
【請求項１７】
複数の記録媒体にデータを書き込み可能な書き込み手段と、
動画を複数の記録媒体に跨ってリレー記録するように制御する記録制御手段と、
前記リレー記録で記録されたリレー動画に関して、該リレー動画を構成する各動画ファイルの識別情報と、該各動画ファイルが記録された記録媒体を示す情報と、該リレー動画における各動画ファイルの順序に関する情報と、該各動画ファイルの代表画像とを単一の記録媒体に記録する記録手段と
を有することを特徴とする記録装置。
【請求項１８】
複数の記録媒体にデータを書き込み可能な書き込みステップと、
動画を複数の記録媒体に跨ってリレー記録するように制御する記録制御ステップと、
前記リレー記録で記録されたリレー動画に関して、該リレー動画を構成する各動画ファイルの識別情報と、該各動画ファイルが記録された記録媒体を示す情報と、該リレー動画における各動画ファイルの順序に関する情報と、該各動画ファイルの代表画像とを単一の記録媒体に記録する記録ステップと
を有することを特徴とする記録装置の制御方法。
【請求項１９】
コンピュータを、請求項１７に記載された記録装置の各手段として機能させるためのプログラム。
【請求項２０】
コンピュータを、請求項１７に記載された記録装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】再生装置及び記録装置
【手続補正３】
【補正対象書類名】明細書
【補正対象項目名】０００１
【補正方法】変更
【補正の内容】
【０００１】
本発明は再生装置及び記録装置に関し、特に、複数の記録媒体に記録されている画像データを再生する再生装置と、複数の記録媒体に画像データを記録する記録装置に関するものである。
【手続補正４】
【補正対象書類名】明細書
【補正対象項目名】０００６
【補正方法】変更
【補正の内容】
【０００６】
本発明の再生装置は、リレー記録により複数の記録媒体に跨って記録されたリレー動画を構成する、第１の記録媒体に記録された第１の動画ファイルと第２の記録媒体に記録された第２の動画ファイルとのうち、前記第１の動画ファイルが記録された前記第１の記録媒体からデータを読み込み可能な読込手段と、前記第１の記録媒体に記録された複数の画像を表示する一覧画面において、前記第１の動画ファイルを含む該第１の記録媒体に記録された複数の画像と、前記第２の動画ファイルに関する情報とを表示手段に一覧表示するように制御する表示制御手段とを有することを特徴とする。